【手続補正書】
【提出日】令和3年10月19日(2021.10.19)
【手続補正１】
【補正対象書類名】特許請求の範囲
【補正対象項目名】全文
【補正方法】変更
【補正の内容】
【特許請求の範囲】
【請求項１】
取り外し可能に取り付けられているカートリッジから供給される記録材を用いて画像を形成する画像形成装置であって、
前記画像形成装置に現在取り付けられている前記カートリッジに保持されている記録材の残量を取得する取得手段、
前記カートリッジが取り付けられる一つ前に前記画像形成装置に取り付けられていた、一つ前のカートリッジの使用履歴に関する情報を記憶する記憶手段と、
前記取得手段が取得した前記画像形成装置に現在取り付けられている前記カートリッジに保持されている記録材の残量と、前記記憶手段が記憶する前記一つ前のカートリッジの使用履歴に関する情報と、に基づき求められた前記画像形成装置に現在取り付けられている前記カートリッジに保持されていている記録材の残量が所定の量に到達するまでの期間を表示する表示手段と、を有することを特徴とする画像形成装置。
【請求項２】
前記期間は、前記取得手段が取得した前記画像形成装置に現在取り付けられている前記カートリッジに保持されている記録材の残量と、前記記憶手段が記憶する前記一つ前のカートリッジの使用履歴に関する情報と、前記画像形成装置に現在取り付けられている前記カートリッジの使用履歴に関する情報と、に基づき求められた期間であることを特徴とする請求項１に記載の画像形成装置。
【請求項３】
前記期間は、前記記憶手段に前記一つ前のカートリッジの使用履歴に関する前記情報が記憶されていない場合、前記取得手段が取得した前記画像形成装置に現在取り付けられている前記カートリッジに保持されている記録材の残量と前記画像形成装置に現在取り付けられている前記カートリッジの使用履歴に関する前記情報とに基づき求められた期間であることを特徴とする請求項２に記載の画像形成装置。
【請求項４】
前記一つ前のカートリッジの使用履歴に関する情報は、前記一つ前のカートリッジが前記画像形成装置に取り付けられた状態で所定の期間に印刷に使用された記録材の量に基づく情報であることを特徴とする請求項１乃至３のいずれか一項に記載の画像形成装置。
【請求項５】
取り外し可能に取り付けられているカートリッジから供給される記録材を用いて画像を形成する画像形成装置であって、
取り付けられている前記カートリッジが所定の条件を満たすかを判定する判定手段と、
前記判定手段により前記所定の条件を満たすと判定された第１のカートリッジの使用履歴に関する情報を記憶する記憶手段と、
前記第１のカートリッジが取り外されたのちに前記画像形成装置に取り付けられた第２のカートリッジに保持されている記録材の残量を取得する取得手段と、
前記取得手段が取得した前記第２のカートリッジに保持されている前記記録材の残量と、前記記憶手段が記憶した前記第１のカートリッジの前記使用履歴に関する情報と、に基づき求められた前記第２のカートリッジに保持されている記録材の残量が所定の量になるまでの期間を表示する表示手段と、を有することを特徴とする画像形成装置。
【請求項６】
前記判定手段は、前記画像形成装置に取り付けられている前記カートリッジのメモリから取得された情報に基づき、前記画像形成装置に取り付けられている前記カートリッジが所定の条件を満たすかを判定することを特徴とする請求項５に記載の画像形成装置。
【請求項７】
前記所定の条件は、前記カートリッジの製造元が所定の製造元であることを特徴とする請求項５または６に記載の画像形成装置。
【請求項８】
前記記憶手段が記憶した前記使用履歴に関する情報は、前記画像形成装置に前記第１のカートリッジが取り付けられた状態で所定の期間に印刷に使用された記録材の量に基づく情報であることを特徴とする請求項５乃至７のいずれか一項に記載の画像形成装置。
【請求項９】
前記期間は、前記取得手段が取得した前記第２のカートリッジに保持される前記記録材の残量と、前記記憶手段が記憶した前記第１のカートリッジの前記使用履歴とに加え、前記第２のカートリッジの使用履歴に関する情報に基づき求められた期間であることを特徴とする請求項５乃至８のいずれか一項に記載の画像形成装置。
【請求項１０】
前記期間は、前記記憶手段に前記第１のカートリッジの使用履歴に関する情報が記憶されていない場合、前記取得手段が取得した前記第２のカートリッジに保持されている前記記録材の残量と、前記第２のカートリッジの使用履歴に関する情報とに基づき求められた期間であることを特徴とする請求項９に記載の画像形成装置。
【請求項１１】
前記表示手段は、前記第２のカートリッジが前記所定の条件を満たす場合、前記期間の表示を行い、前記第２のカートリッジが前記所定の条件を満たさない場合、所定の期間を表示することを特徴とする請求項５乃至９のいずれか一項に記載の画像形成装置。
【請求項１２】
取り外し可能に取り付けられているカートリッジから供給される記録材を用いて画像を形成する画像形成装置の制御方法であって、
前記画像形成装置に現在取り付けられている前記カートリッジに保持されている記録材の残量を取得する取得工程、
前記カートリッジが取り付けられる一つ前に前記画像形成装置に取り付けられていた、一つ前のカートリッジの使用履歴に関する情報を記憶手段から読み出す読出工程と、
前記取得工程において取得された前記画像形成装置に現在取り付けられている前記カートリッジに保持されている記録材の残量と、前記読出工程において読みだされた前記一つ前のカートリッジの使用履歴に関する情報と、に基づき求められた前記画像形成装置に現在取り付けられている前記カートリッジに保持されている記録材の残量が所定の量に到達するまでの期間を表示する表示手段に表示する表示工程と、を有することを特徴とする画像形成装置の制御方法。
【請求項１３】
取り外し可能に取り付けられているカートリッジから供給される記録材を用いて画像を形成する画像形成装置の制御方法であって、
取り付けられているカートリッジが所定の条件を満たすかを判定する判定工程と、
前記判定工程において前記所定の条件を満たすと判定された第１のカートリッジの使用履歴に関する情報を記憶する記憶工程と、
前記第１のカートリッジが取り外されたのちに前記画像形成装置に取り付けられた第２のカートリッジに保持される記録材の残量を取得する取得工程と、
前記取得工程において取得した前記第２のカートリッジに保持される前記記録材の残量と、前記記憶工程において記憶した前記第１のカートリッジの前記使用履歴と、に基づき求められた前記第２のカートリッジに保持される記録材の残量が所定の量になるまでの期間を表示手段に表示する表示工程と、を有することを特徴とする画像形成装置の制御方法。
【請求項１４】
請求項１乃至１１のいずれか一項に記載の各手段をコンピュータに実行させるためのコンピュータプログラム。
【手続補正２】
【補正対象書類名】明細書
【補正対象項目名】０００７
【補正方法】変更
【補正の内容】
【０００７】
上記課題を解決すべく、本願発明の画像形成装置は、取り外し可能に取り付けられているカートリッジから供給される記録材を用いて画像を形成する画像形成装置であって、前記画像形成装置に現在取り付けられている前記カートリッジに保持されている記録材の残量を取得する取得手段、前記カートリッジが取り付けられる一つ前に前記画像形成装置に取り付けられていた、一つ前のカートリッジの使用履歴に関する情報を記憶する記憶手段と、前記取得手段が取得した前記画像形成装置に現在取り付けられている前記カートリッジに保持されている記録材の残量と、前記記憶手段が記憶する前記一つ前のカートリッジの使用履歴に関する情報と、に基づき求められた前記画像形成装置に現在取り付けられている前記カートリッジに保持されていている記録材の残量が所定の量に到達するまでの期間を表示する表示手段と、を有することを特徴とする。